(57)【要約】【課題】視認性の低下を抑制しつつ、入力信号を都合の良い位置に表示する。【解決手段】入力信号を画面上の座標に表示する表示装置１は、座標のＹ軸Ｄｙに対して基準位置Ｐｂからの入力信号の変位量を設定する操作部３０を備える。そして表示装置１は、設定された変位量に基づいてＹ軸Ｄｙの表示範囲をＹ軸Ｄｙの端に向かって縮小し、その表示範囲Ｒの縮小に応じてＹ軸Ｄｙの表示倍率を変更する処理部５０と、縮小した表示範囲Ｒ内に入力信号を変更後の表示倍率で表示する表示部４０と、を含む。【選択図】図６
2019159007.tif 000002
【特許請求の範囲】
【請求項１】
入力信号を画面上の座標に表示する表示装置であって、
前記座標の座標軸に対し、前記画面上の基準位置からの前記入力信号の変位量を設定する設定手段と、
前記変位量に基づいて前記座標軸の表示範囲を前記座標軸の端に向かって縮小する縮小手段と、
前記表示範囲の縮小に応じて前記座標軸の表示倍率を変更する変更手段と、
縮小後の前記表示範囲内に前記入力信号を変更後の前記座標軸の表示倍率で表示する表示手段と、
を含む表示装置。
【請求項２】
請求項１に記載の表示装置であって、
前記変更手段は、縮小後の前記表示範囲に前記入力信号の最小値から最大値までが収まるよう前記表示倍率を変更する、
表示装置。
【請求項３】
請求項１又は請求項２に記載の表示装置であって、
前記設定手段は、前記基準位置からの前記入力信号の前記変位量に加えて、当該入力信号の前記座標軸上の変位方向を設定し、
前記縮小手段は、前記表示範囲を前記変位方向に縮小する、
表示装置。
【請求項４】
請求項３に記載の表示装置であって、
前記基準位置は、前記座標軸の下端及び上端間の中間点に設定され、
前記縮小手段は、前記中間点からの前記変位方向に応じて前記表示範囲を前記上端又は下端に向かって縮小する、
表示装置。
【請求項５】
請求項２に記載の表示装置であって、
前記縮小手段は、前記表示範囲の一端を前記座標軸の前記変位方向側の端に固定した状態で、前記表示範囲を縮小する、
表示装置。
【請求項６】
請求項１から請求項５までのいずれか１項に記載の表示装置であって、
前記入力信号とは異なる入力信号を取得する取得手段をさらに含み、
前記設定手段は、前記異なる入力信号について前記変位量とは異なる変位量を設定可能である、
表示装置。
【請求項７】
入力信号を画面上の座標に表示するコンピュータに、
前記座標の座標軸に対し、前記画面上の基準位置からの前記入力信号の変位量を設定する手順と、
前記変位量に基づいて前記座標軸の表示範囲を前記座標軸の端に向かって縮小する手順と、
前記表示範囲の縮小に応じて前記座標軸の表示倍率を変更する手順と、
縮小後の前記表示範囲内に前記入力信号を変更後の前記座標軸の表示倍率で表示する手順と、
を実行させるためのプログラム。
【発明の詳細な説明】
【技術分野】
【０００１】
本発明は、入力信号を表示する表示装置およびプログラムに関する。
【背景技術】
【０００２】
特許文献１には、波形を画面に表示させる際に、その波形の振幅に応じて画面の上限値と下限値を自動的に設定するとともに、その波形を画面のほぼ中央部に表示する表示装置が開示されている。
【先行技術文献】
【特許文献】
【０００３】
【特許文献１】特開平５−２８１２６４号公報
【発明の概要】
【発明が解決しようとする課題】
【０００４】
上述の表示装置は、波形等を示す入力信号が画面に収まるよう表示スケールを調整しつつ入力信号の表示位置を画面中央部に設定する構成であるため、利用者の都合に合わせて入力信号の表示位置を変更することは難しかった。仮に、入力信号の表示位置を中央部から移動させるように利用者が操作しようとすると、画面に表示された入力信号の一部が表示範囲から出てしまい、入力信号の一部が表示されなくなるため、視認性が低下することが懸念される。
【０００５】
本発明は、このような問題点に着目してなされたものであり、視認性の低下を抑制しつつ入力信号を都合の良い位置に表示させることを目的とする。
【課題を解決するための手段】
【０００６】
本発明のある態様によれば、入力信号を画面上の座標に表示する表示装置は、前記座標軸に対し、基準位置からの前記入力信号の変位量を設定する設定手段と、前記変位量に基づいて前記座標軸の表示範囲を前記座標軸の端に向かって縮小する変更手段と、を含む。さらに表示装置は、前記表示範囲の縮小に応じて前記座標軸の表示倍率を変更する変更手段と、縮小後の前記表示範囲内に前記入力信号を変更後の前記座標軸の表示倍率で表示する表示手段と、を含む。
【発明の効果】
【０００７】
この態様によれば、入力信号を座標軸の端に寄せつつ全体を表示することが可能になるので、視認性の低下を抑制しつつ入力信号を都合の良い位置に表示させることができる。
【図面の簡単な説明】
【０００８】
【図１】図１は、本実施形態における表示装置の機能構成を示すブロック図である。
【図２】図２は、二つの入力信号を表示する表示画面の一例を示す図である。
【図３】図３は、本実施形態における表示位置の設定画面の一例を示す図である。
【図４】図４は、基準位置から表示位置を移動した表示画面の一例を示す図である。
【図５Ａ】図５Ａは、基準位置から上端への表示位置の移動に応じて縮小する表示範囲を示す図である。
【図５Ｂ】図５Ｂは、基準位置から下端への表示位置の移動に応じて縮小する表示範囲を示す図である。
【図６】図６は、本実施形態における表示方法を示すフローチャートである。
【発明を実施するための形態】
【０００９】
以下、添付図面を参照しながら本発明の実施形態について説明する。
【００１０】
図１は、本発明の実施形態における表示装置１の機能構成を示すブロック図である。
【００１１】
表示装置１は、一又は複数の入力信号を画面に表示するコンピュータである。表示装置１は、ＣＰＵ（Central Processing Unit）、ＲＯＭ（Read Only Memory）、ＲＡＭ（Random Access Memory）、入出力インターフェース及び、これらを相互に接続するバス等により構成される。
【００１２】
表示装置１は、例えば、測定対象の物理量を測定してその結果を画面に表示する測定装置に組み込まれる。あるいは、表示装置１は、タブレット端末、スマートフォン、又はパーソナルコンピュータ等の電子端末により構成される。
【００１３】
表示装置１は、外部から入力される入力信号を取得し、その入力信号を画面上の座標に表示する。表示装置１は、入力部１０と、記憶部２０と、操作部３０と、表示部４０と、処理部５０と、を備える。
【００１４】
入力部１０は、表示装置１の外部と通信を行う通信回路により構成される。入力部１０は、処理部５０の指示に従って外部から一又は複数の入力信号を取得する取得手段を構成する。入力信号としては、例えば、波形又はヒストグラム等を示すデータが挙げられる。入力部１０は、例えば、インターネット網又は電話網等のネットワークを通じて無線又は有線により外部端末から入力信号を受信したり、ＵＳＢメモリ等の外部メモリから入力信号を取得したりする。
【００１５】
本実施形態の入力部１０は、Ａ／Ｄ変換回路により構成される。そして入力部１０は、測定回路から時系列に出力される測定値を示すアナログ信号を受信し、そのアナログ信号をデジタル信号に変換した波形データを入力信号として取得する。測定回路は、例えば測定対象の電圧、電流、抵抗及び電力等の物理量を測定する電気回路である。
【００１６】
記憶部２０は、ＲＡＭ及びＲＯＭにより構成され、入力部１０で取得された入力信号を記憶する。記憶部２０には、処理部５０により何らかの処理が施された入力信号が記録されてもよい。例えば、記憶部２０には、間引き処理が施された入力信号、又は、所定期間ごとに平均値を算出したトレンドデータ等が記録される。
【００１７】
本実施形態では、一又は複数の波形データが入力信号として記憶部２０に記憶される。さらに記憶部２０には、処理部５０が本実施形態の表示処理を実行するためのプログラムが記憶されている。すなわち、記憶部２０は、表示装置１の各部位を制御するためのプログラムを記録したコンピュータ読み取り可能な記憶媒体である。
【００１８】
操作部３０は、表示部４０の画面近傍に設けられる押しボタン、画面内に配置されるタッチセンサ、又は、キーボード及びマウス等により構成される。操作部３０は、電源ボタンを押下する入力操作を受け付けることで表示装置１の起動指令を処理部５０に出力する。
【００１９】
操作部３０は、利用者の入力操作を受け付け、その入力操作に基づいて画面上の表示条件を設定する設定手段である。例えば、操作部３０は、利用者の入力操作に基づき、入力信号についての各軸の表示範囲を示す手動設定情報の入力を受け付ける。本実施形態の操作部３０は、自動スケール機能の実行を指示する自動設定情報の入力を受け付ける。自動スケール機能とは、画面上のＹ軸の表示倍率を自動で調整する機能のことである。
【００２０】
表示部４０は、画像を表示する液晶パネル又はタッチパネル等により構成される。表示部４０は、画面上の表示条件に基づいて、記憶部２０に記憶された入力信号を画面上のＸ軸及びＹ軸の座標に表示する。本実施形態の表示部４０は、入力信号の波形を画面上の座標に配置した画像を生成し、その画像を画面に表示する。
【００２１】
処理部５０は、操作部３０からの自動設定情報に基づいて、画面上に表示される入力信号がＹ軸の表示範囲内に収まるようＹ軸のスケールを調整する。例えば、処理部５０は、入力信号の最大値及び最小値を抽出し、予め定められた複数の倍率に対応するレンジの中から、抽出した最小値から最大値までの範囲を含み、かつ、最も倍率の高いレンジを最適レンジとして特定する。
【００２２】
処理部５０は、特定した最適レンジを画面上の表示条件として表示部４０に出力する。以下では、最適レンジをフルスケールと称し、このフルスケールを基準としてＹ軸の表示倍率が定められる。
【００２３】
次に、表示部４０に表示される画像の構成について簡単に説明する。
【００２４】
図２は、自動スケール機能を実行して二つの波形を重ねて表示した表示画面４１の一例を示す図である。
【００２５】
表示画面４１は、一又は複数の入力信号を識別する識別領域４１ａと、その入力信号を一つの座標に表示する信号表示領域４１ｂと、Ｙ軸Ｄｙの上限値及び下限値を表示する上限表示領域４１ｃ及び下限表示領域４１ｄと、Ｘ軸表示領域４１ｅとにより構成される。表示画面４１には、互いに異なる５つの入力信号が表示可能である。
【００２６】
識別領域４１ａには、識別番号ごとに入力信号の種類が対応付けられて表示される。入力信号の種類としては、例えば電圧値、電流値、電力値等が挙げられる。この例では、二つの電線の電圧をそれぞれ測定している状態を想定しており、これらの電圧信号が入力信号として選択されている。具体的には、二つの電圧信号の実効値を示す波形データＶｒｍｓに対し、識別番号「１」及び「２」がそれぞれ割り当てられている。
【００２７】
信号表示領域４１ｂには、複数の入力信号が同時に表示可能である。この例では、Ｘ軸Ｄｘが時間を示す軸であり、Ｙ軸Ｄｙが電圧値を示す軸である。そして識別番号「１」の波形が実線で示され、識別番号「２」の波形が破線で示されている。また、画面上のＹ軸の中心位置が基準位置Ｐｂである。
【００２８】
本実施形態では、信号表示領域４１ｂに表示される波形データＶｒｍｓごとに自動スケール機能が実行される。この自動スケール機能により、波形データＶｒｍｓの中央値が基準位置Ｐｂに配置されるようＹ軸Ｄｙのフルスケールとその中央値の表示位置とが求められ、求められたフルスケールと表示位置とで波形データＶｒｍｓが信号表示領域４１ｂに表示されている。
【００２９】
上限表示領域４１ｃ及び下限表示領域４１ｄには、識別番号ごとにＹ軸Ｄｙの上限値及び下限値が表示される。この例では、識別番号「１」及び「２」の波形データＶｒｍｓについて、Ｙ軸Ｄｙのフルスケールの上限値Ｕ1及びＵ2が上限表示領域４１ｃに示され、Ｙ軸Ｄｙのフルスケールの下限値Ｌ1及びＬ2が下限表示領域４１ｄに示されている。
【００３０】
Ｘ軸表示領域４１ｅには、Ｘ軸Ｄｘの１目盛（ｄｉｖ）の単位が表示される。この例では、１目盛につきＴ秒［ｓ］であることが示されている。
【００３１】
このように、表示画面４１には、二つの波形が同じ基準位置Ｐｂを中心として表示されていることから、一つ一つの波形を正確に把握することが困難となる。このため、利用者としては、信号表示領域４１ｂ内に表示される複数の波形が見やすくなるよう、各波形自信の基準となる位置をＹ軸Ｄｙの基準位置Ｐｂに対して上側又は下側に移動させることが望ましい。
【００３２】
あるいは、信号表示領域４１ｂ内に一つの波形が表示される場合であっても、信号表示領域４１ｂ内に利用者が波形についてのコメントを入力したり、表示画面をプリントアウトした際にその用紙に利用者がコメントを記入したりすることも想定される。このような場合にも、信号表示領域４１ｂ内にコメント記入用のスペースを確保できるように、波形の基準（中心）となる位置を画面上の基準位置Ｐｂから上下に移動させることが求められることもある。
【００３３】
このような利用者の都合を考慮し、入力信号の基準となる位置が画面上の基準位置Ｐｂから利用者の意図するＹ軸Ｄｙ上の位置に変位するよう、本実施形態の表示装置１は、その変位位置である画面上の表示位置を特定する位置情報を操作部３０にて受け付ける。そして表示装置１は、操作部３０にて受け付けた位置情報に基づいて、入力信号の基準となる位置を基準位置ＰｂからＹ軸Ｄｙ上の表示位置にシフトさせる基準位置シフト機能を実行する。
【００３４】
次に、本実施形態における基準位置シフト機能の設定手法について図３を参照して説明する。
【００３５】
図３は、基準位置シフト機能を実行するための設定画面４２の一例を示す図である。設定画面４２は、例えば操作部３０にて基準位置シフト機能ボタンが選択されることで表示画面４１から切り替えられる。利用者は、操作部３０を介して設定画面４２内の設定項目を選択して利用者の意図する値を入力する。
【００３６】
設定画面４２は、表示画面４１の識別領域４１ａと同じ内容を表示する識別領域４２ａと、Ｙ軸設定領域４２ｂと、表示位置設定領域４２ｃと、位置関係表示領域４２ｄと、により構成される。
【００３７】
Ｙ軸設定領域４２ｂは、入力信号ごとにＹ軸Ｄｙの表示倍率を任意に設定可能な領域であり、自動スケール機能の要否を設定する領域ｂ１と、Ｙ軸Ｄｙの上限値及び下限値を任意に設定可する領域ｂ２と、により構成される。例えば、領域ｂ１に「ＡＵＴＯ」が設定された場合は、領域ｂ２は設定不能となる。
【００３８】
表示位置設定領域４２ｃは、Ｙ軸Ｄｙ上に入力信号の表示位置Ｐｄを任意に設定可能な領域である。表示位置Ｐｄは、基準位置ＰｂからのＹ軸上の変位位置であり、基準位置Ｐｂからの変位量及び変位方向にて特定される。この表示位置Ｐｄは、信号表示領域４１ｂに入力信号を表示させる際に利用者の都合の良い位置に設定される。
【００３９】
表示位置設定領域４２ｃは、Ｙ軸Ｄｙの基準位置Ｐｂを「０」とし上下に５段階のステップで表示位置Ｐｄを設定する領域ｃ１と、Ｙ軸Ｄｙのフルスケールの中心から上端までの距離に対する表示位置Ｐｄまでの距離の比率を設定する領域ｃ２とにより構成される。例えば、一方の領域ｃ１において表示位置Ｐｄが設定された場合は、他方の領域ｃ２は設定不能となる。
【００４０】
位置関係表示領域４２ｄは、入力信号ごとに、表示位置Ｐｄを特定するオフセット値と、そのオフセット値に対応するＹ軸Ｄｙ上の位置との関係を表示する領域である。
【００４１】
この例では、識別番号「１」及び「２」の波形データＶｒｍｓの各々について、自動スケール機能が設定されるとともに、基準位置ＰｂをＹ軸Ｄｙ方向にシフトさせるために表示位置Ｐｄが設定されている。
【００４２】
具体的には、識別番号「１」の波形データＶｒｍｓについては表示位置Ｐｄのオフセット値が「＋２」に設定され、識別番号「２」の波形データＶｒｍｓについては表示位置Ｐｄのオフセット値が「−３」に設定されている。
【００４３】
このため、識別番号「１」の表示位置Ｐｄは、基準位置Ｐｂから上端位置Ｐｕに向かって２段階上昇し、識別番号「２」の表示位置Ｐｄは、基準位置Ｐｂから下端位置Ｐｌに向かって３段階下降する。
【００４４】
このように、表示位置Ｐｄを特定するオフセット値の正負の符号は、基準位置Ｐｂから表示位置Ｐｄへの変位方向を示し、オフセット値の絶対値は、基準位置Ｐｂから表示位置Ｐｄへの変位量を示す。
【００４５】
次に、設定画面４２でこのように設定された表示条件に基づき表示画面に表示される二つの波形の位置関係について図４を参照して説明する。
【００４６】
図４は、二つの波形データＶｒｍｓの表示位置Ｐｄを互いに異なる方向に設定したときの表示画面４３の一例を示す図で、図３の設定例に対応する。表示画面４３は、例えば操作部３０にて波形表示ボタンが選択されることで設定画面４２から切り替えられる。
【００４７】
まず、波形データＶｒｍｓの各々の表示位置Ｐｄで特定される表示領域Ａ１及びＡ２の設定手法について説明する。
【００４８】
識別番号「１」の波形データＶｒｍｓについては、上述のとおり表示位置Ｐｄのオフセット値が「＋２」に設定されている。オフセット値の符号が正（プラス）であるため、基準位置Ｐｂから表示位置Ｐｄまでの変位量に応じて、かつ、上端位置Ｐｕに向かって縮小するＹ軸Ｄｙの表示範囲Ｒ１により表示領域Ａ１が特定される。
【００４９】
Ｙ軸Ｄｙの表示範囲Ｒ１は、上端位置Ｐｕのオフセット値「＋５」から表示位置Ｐｄのオフセット値「＋２」までの範囲に基づいて定められる。具体的には、表示範囲Ｒ１の幅は、上端位置Ｐｕのオフセット値「＋５」と表示位置Ｐｄのオフセット値「＋２」との差分絶対値（３）を二倍した値（６）に設定され、表示範囲Ｒ１の中心位置は、表示位置Ｐｄのオフセット値「＋２」に設定される。
【００５０】
一方、識別番号「２」の波形データＶｒｍｓについては、上述のとおり表示位置Ｐｄのオフセット値が「−３」に設定されている。オフセット値の符号が負（マイナス）であるため、基準位置Ｐｂから表示位置Ｐｄまでの変位量に応じて、かつ、下端位置Ｐｌに向かって縮小するＹ軸Ｄｙの表示範囲Ｒ２により表示領域Ａ２が特定される。
【００５１】
Ｙ軸Ｄｙの表示範囲Ｒ２は、下端位置Ｐｌのオフセット値「−５」から表示位置Ｐｄのオフセット値「−３」までの範囲に基づいて定められる。具体的には、表示範囲Ｒ２の幅は、表示位置Ｐｄのオフセット値「−３」と下端位置Ｐｌのオフセット値「−５」との差分絶対値（２）を二倍した値（４）に設定され、表示範囲Ｒ２の中心位置は、表示位置Ｐｄのオフセット値「−３」に設定される。
【００５２】
このように、表示範囲Ｒ１及びＲ２の各々については、その一端が、Ｙ軸Ｄｙの上端位置Ｐｕ及び下端位置Ｐｌのうち表示位置Ｐｄに近い方の先端位置に固定され、その他端が、基準位置Ｐｂから表示位置Ｐｄまでの変位量が大きくなるほど先端位置に近づく。
【００５３】
次に、波形データＶｒｍｓごとに演算される表示範囲Ｒ１及びＲ２の表示倍率の演算手法について説明する。
【００５４】
識別番号「１」及び「２」の波形データＶｒｍｓの各々については、自動スケール機能が設定されており、波形データＶｒｍｓの最小値から最大値までが表示範囲Ｒ１又はＲ２に収まるようＹ軸Ｄｙの表示倍率が演算される。
【００５５】
具体的には、表示装置１の処理部５０が、識別番号「１」の波形データＶｒｍｓの最小値及び最大値を抽出し、その最小値から最大値までが表示範囲Ｒ１に収まるようＹ軸Ｄｙの表示倍率を演算する。
【００５６】
または、処理部５０は、Ｙ軸Ｄｙのフルスケールに対する表示範囲Ｒ１の縮小率を求め、予め定められた複数の倍率のうち、求めた縮小率よりも小さく、かつ、その縮小率に最も近い表示倍率を演算するようにしてもよい。これにより、表示範囲Ｒ１内に波形全体を確実に収容しつつ、表示範囲Ｒ１を目一杯利用することが可能となる。すなわち、表示範囲Ｒ１の縮小率を小さくするときには、波形データＶｒｍｓにより形成される波形を適切に小さくすることができる。同様に、識別番号「２」の波形データＶｒｍｓについてもＹ軸Ｄｙの表示倍率が演算される。
【００５７】
そして処理部５０は、識別番号「１」の波形データＶｒｍｓのＹ軸Ｄｙの表示倍率に基づいて、表示位置Ｐｄのオフセット位置「＋２」に波形データＶｒｍｓの中央値が配置されるよう、Ｙ軸の上限値Ｕm1及び下限値Ｌm1を算出する。同様に識別番号「２」の波形データＶｒｍｓについてもＹ軸Ｄｙの上限値Ｕm2及び下限値Ｌm2が算出される。
【００５８】
これらの算出値が上限表示領域４１ｃ及び下限表示領域４１ｄに設定されるとともに、信号表示領域４１ｂのうち、識別番号「１」の波形データＶｒｍｓが表示領域Ａ１に表示され、識別番号「２」の波形データＶｒｍｓが表示領域Ａ２に表示される。
【００５９】
このように、二つの波形データＶｒｍｓの表示位置Ｐｄを基準位置Ｐｂから互いに異なる方向に設定することで、一方の表示範囲Ｒ１は上端位置Ｐｕに向かって狭くなり、他方の表示範囲Ｒ２は下端位置Ｐｌに向かって狭くなる。それゆえ、二つの表示範囲Ｒ１及びＲ２の重複する領域を排除又は縮小することができる。
【００６０】
さらに、識別番号「１」及び「２」の波形データＶｒｍｓがそれぞれ表示範囲Ｒ１及びＲ２に収まるよう両者の表示倍率を変更することにより、二つの波形データＶｒｍｓが重ならないよう両者を信号表示領域４１ｂ内に表示させることができる。
【００６１】
本実施形態では二つの入力信号を重ならないように表示させる例について説明したが、三つ以上の入力信号を重ならないように表示させることも可能である。例えば、表示範囲Ｒ１及びＲ２の間に他の入力信号が表示できるよう識別番号「１」及び「２」の表示位置Ｐｄを基準位置Ｐｂから互いに異なる方向に設定する。その後、他の入力信号の表示倍率及び表示位置Ｐｄを手動で設定することにより、三つ以上の入力信号を重ならないように表示させることができる。
【００６２】
あるいは、二つの入力信号についてのコメントを入力するスペースを確保するために、二つの入力信号を重ねた状態で信号表示領域４１ｂの上側又は下側にシフトさせるよう表示位置Ｐｄを同じ位置に設定してもよい。
【００６３】
次に、Ｙ軸Ｄｙの表示位置Ｐｄと表示範囲Ｒ１との関係について図５Ａ及び図５Ｂを参照して簡単に説明する。
【００６４】
図５Ａは、基準位置Ｐｂから上端位置Ｐｕへの変位量に応じて変化する表示範囲Ｒ１を示す図である。
【００６５】
本実施形態では、表示位置Ｐｄのオフセット値の符号が正である場合に、表示位置Ｐｄは上端位置Ｐｕに向かって移動するため、表示位置Ｐｄの変位方向は、基準位置Ｐｂから上端位置Ｐｕへの方向となる。
【００６６】
このため、オフセット値の絶対値が大きくなるほど、基準位置Ｐｂから上端位置Ｐｕへの変位量が大きくなり、表示範囲Ｒ１は上端位置Ｐｕに向かって狭くなる。例えば、表示位置Ｐｄが基準位置Ｐｂから上端位置Ｐｕに向かって一目盛シフトするたびに、表示範囲Ｒ１の幅は二目盛だけ減少する。このように、オフセット値の絶対値が大きくなるほど、表示範囲Ｒ１はＹ軸Ｄｙの上端に向かって圧縮される。
【００６７】
図５Ｂは、基準位置Ｐｂから下端位置Ｐｌへの変位量に応じて変化する表示範囲Ｒ１を示す図である。
【００６８】
本実施形態では、表示位置Ｐｄのオフセット値の符号が負である場合に、表示位置Ｐｄは下端位置Ｐｌに向かって移動するため、表示位置Ｐｄの変位方向は、基準位置Ｐｂから下端位置Ｐｌへの方向となる。
【００６９】
このため、オフセット値の絶対値が大きくなるほど、基準位置Ｐｂから下端位置Ｐｌへの変位量が大きくなり、表示範囲Ｒ１は下端位置Ｐｌに向かって狭くなる。すなわち、オフセット値の絶対値が大きくなるほど、表示範囲Ｒ１はＹ軸Ｄｙの下端に向かって圧縮される。
【００７０】
このように、基準位置Ｐｂから表示位置Ｐｄへの変位方向に応じて、表示範囲Ｒ１を圧縮する方向を選択することができる。このため、利用者は、表示位置Ｐｄのオフセット値の符号を選択するという簡易な操作により、表示範囲Ｒ１を上端側に圧縮するのか、下端側に圧縮するのかを選択することができる。
【００７１】
次に、表示装置１の各部位の動作について図６を参照して説明する。
【００７２】
図６は、本実施形態における入力信号の表示方法に関する処理手順例を示すフローチャートである。
【００７３】
ステップＳ１において操作部３０は、Ｙ軸Ｄｙに対する入力信号の表示位置Ｐｄを特定する位置情報の入力を受け付ける。本実施形態の操作部３０は、図３に示した設定画面４２において識別番号「１」及び「２」の表示位置Ｐｄのオフセット値を示す位置情報の入力を受け付ける。
【００７４】
ステップＳ２において処理部５０は、位置情報に基づいて基準位置Ｐｂから表示位置Ｐｄへの変位量を表示条件として設定する。本実施形態では基準位置Ｐｂからの変位量としてオフセット値の絶対値が用いられる。
【００７５】
ステップＳ３において処理部５０は、基準位置Ｐｂから表示位置Ｐｄへの変位量に基づいて、Ｙ軸Ｄｙの表示範囲ＲをＹ軸Ｄｙの端に向かって狭くする。本実施形態の処理部５０は、識別番号「１」の波形データＶｒｍｓについては表示位置Ｐｄに近い上端位置Ｐｕに向かって表示範囲Ｒ１を縮小し、識別番号「２」の波形データＶｒｍｓについては表示位置Ｐｄに近い下端位置Ｐｌに向かって表示範囲Ｒ２を縮小する。
【００７６】
ステップＳ４において処理部５０は、Ｙ軸Ｄｙの表示範囲Ｒと入力信号の最小値及び最大値とに基づいてＹ軸Ｄｙの表示倍率を演算する。本実施形態では処理部５０が、識別番号「１」の波形データＶｒｍｓの最小値及び最大値が表示範囲Ｒ１に収まるようＹ軸Ｄｙの最適倍率を演算し、識別番号「２」の波形データＶｒｍｓの最小値及び最大値が表示範囲Ｒ２に収まるようＹ軸Ｄｙの最適倍率を演算する。
【００７７】
ステップＳ５において表示部４０は、ステップＳ４で演算したＹ軸Ｄｙの表示倍率により、表示位置Ｐｄを中心とし入力信号を表示範囲Ｒ内に表示する。
【００７８】
本実施形態では表示部４０が、識別番号「１」の波形データＶｒｍｓについてその中央値をオフセット値「＋２」で特定される表示位置Ｐｄに配置するよう表示範囲Ｒ１に最適倍率で波形データＶｒｍｓを表示する。これと共に表示部４０が、識別番号「２」の波形データＶｒｍｓについてその中央値をオフセット値「−３」で特定される表示位置Ｐｄに配置するよう表示範囲Ｒ２に最適倍率で波形データＶｒｍｓを表示する。
【００７９】
ステップＳ５の処理が終了すると、入力信号の表示方法についての一連の処理手順が終了する。
【００８０】
以下に、本実施形態の作用効果について詳しく説明する。
【００８１】
本実施形態によれば、入力信号を画面上の座標に表示する表示装置１は、座標上の特定の座標軸であるＹ軸Ｄｙに対し、基準位置Ｐｂからの入力信号の変位量を設定する設定手段として操作部３０を備える。さらに表示装置１は、基準位置Ｐｂからの変位量に基づきＹ軸Ｄｙの表示範囲ＲをＹ軸Ｄｙの上端又は下端に向かって縮小する縮小手段、及び、表示範囲Ｒの縮小に応じてＹ軸Ｄｙの表示倍率を変更する変更手段として処理部５０を備える。そして表示装置１は、縮小後の表示範囲Ｒ内に入力信号を変更後の表示倍率で表示する表示手段として表示部４０を備える。
【００８２】
この表示装置１は、図５Ａ及び図５Ｂに示したように、基準位置Ｐｂからの変位量に応じて、表示範囲Ｒ１をＹ軸Ｄｙの端に向かって縮小するとともに、表示範囲Ｒ１の縮小率に応じてＹ軸Ｄｙの表示倍率を変更する。これにより、入力信号の一部が表示範囲Ｒから出てしまう事態を抑制しつつ、必要に応じてＹ軸Ｄｙの上端側又は下端側で入力信号を圧縮することが可能になる。
【００８３】
このため、信号表示領域４１ｂの一端側において、入力信号に関するコメントを記載するスペースを確保しつつ、信号表示領域４１ｂの他端側において入力信号が表示範囲Ｒ内に収まりやすくなる。したがって、入力信号の視認性が低下するのを抑制しつつ、入力信号を都合の良い位置に表示させることができる。
【００８４】
また、本実施形態によれば、処理部５０は、縮小後の表示範囲Ｒに入力信号の最小値から最大値までが収まるようＹ軸Ｄｙの表示倍率を小さくする。これにより、表示範囲Ｒに入力信号の全体を目一杯表示させることが可能となるので、利用者は入力信号を細かく確認しやすくなる。
【００８５】
また、本実施形態によれば、操作部３０は、利用者の入力操作により、基準位置Ｐｂから表示位置Ｐｄへの変位量に加えて、基準位置Ｐｂから表示位置Ｐｄへの変位方向を設定する。そして処理部５０は、操作部３０で設定された変位方向に向かって表示範囲Ｒを縮小する。
【００８６】
図３に示した例では、利用者が、操作部３０に対して表示位置Ｐｄのオフセット値を入力することで、操作部３０は、オフセット値の絶対値を基準位置Ｐｂからの変位量として設定し、オフセット値の符号を基準位置Ｐｂからの変位方向として設定する。
【００８７】
これにより、利用者は、Ｙ軸Ｄｙの上端位置Ｐｕに向かって入力信号を圧縮させるのか、下端位置Ｐｌに向かって入力信号を圧縮させるのか、を入力値の符号を選択するだけで決定することができる。したがって、簡易な操作により、利用者の意図する方向に入力信号を圧縮することが可能となる。
【００８８】
なお、本実施形態では、基準位置Ｐｂからの変位量として表示位置Ｐｄのオフセット値を入力する例について説明したが、Ｙ軸Ｄｙのフルスケールの上限値に対する基準位置Ｐｂからの変位量の比率（％）を入力してもよい。この場合には、操作部３０は、利用者により入力された比率（％）の値に対してＹ軸Ｄｙのフルスケールの上限値を乗算して基準位置Ｐｄからの変位量を設定する。
【００８９】
また、本実施形態によれば、画面上の基準位置Ｐｂが、Ｙ軸Ｄｙの上端位置Ｐｕ及びＰｌ間の中間点に設定され、処理部５０は、操作部３０にて設定された変位方向に応じて、表示範囲Ｒを中間点から上端位置Ｐｕ又は下端位置Ｐｌに向かって縮小する。
【００９０】
図４に示したように、二つの入力信号を画面に表示させる場合には、利用者が両者の変位方向を互いに異なる方向に設定する入力操作を行うことにより、処理部５０は、二つの入力信号を互いに重ならないよう、Ｙ軸Ｄｙの上端及び下端に分けて表示させることができる。このように、簡易な操作により、二つの入力信号が互いに重複する領域を利用者の都合に合わせて減少又は排除することができるので、利用者は二つの波形の全体を正しく把握することが可能となる。
【００９１】
さらに、基準位置Ｐｂを中間点に設定することで、三つの入力信号を画面に表示させるような場合に、処理部５０は、二つの入力信号を上下に縮小して配置し、三つ目の入力信号を画面の中心に、かつ、他の入力信号よりも大きく表示させることができる。これにより、三つの入力信号の一部が重複するような状況であっても、画面の中心付近の波形を強調しつつ、他の波形については上下に見やすく圧縮して表示される。したがって、利用者にとっては、単に三つの波形の表示範囲を三等分して表示する場合に比べて、一つ一つの入力信号の全体像を把握しやすくなる。
【００９２】
また、本実施形態によれば、処理部５０は、表示範囲Ｒ１の一端をＹ軸Ｄｙの変位方向側の端である上端位置Ｐｕに固定した状態で、表示範囲Ｒ１を縮小する。これにより、信号表示領域４１ｂの下端から上端までの全領域を有効に利用しつつ、利用者の都合に合わせて入力信号を圧縮することができる。
【００９３】
また、本実施形態によれば、図４に示したように、表示装置１は、第一の入力信号に加えて、第一の入力信号とは異なる第二の入力信号を取得する取得手段として入力部１０を備える。そして操作部３０は、第一の入力信号の変位量とは異なる変位量を第二の入力信号に設定可能である。
【００９４】
これにより、利用者が入力信号の各々の変位量を互いに異なる変位量に設定する入力操作を行うことにより、処理部５０は、基準位置ＰｂからＹ軸Ｄｙの一端に向かって段階的に縮小した複数の波形を画面に表示させることができる。これにより、入力信号同士の重なる領域を狭くすることが可能となるので、利用者は、全ての入力信号を同じ位置で表示させる場合に比べて、それぞれの入力信号を視認しやすくなる。
【００９５】
以上、本発明の実施形態について説明したが、上記実施形態は本発明の適用例の一部を示したに過ぎず、本発明の技術的範囲を上記実施形態の具体的構成に限定する趣旨ではない。
【００９６】
例えば、上記実施形態では入力信号として電圧信号の実効値を示す波形データＶｒｍｓを表示する例について説明したが、電圧信号の瞬時値又は平均値を示す波形データでもよい。また入力信号は電圧信号に限らず、電流値、電力値又は抵抗値等の物理量を示す入力信号であってもよい。あるいは、入力信号は、波形データに限らず、棒グラフ、折れ線グラフ、帯グラフ、及びヒストグラムを示すデータであってもよい。
【００９７】
また、上記実施形態では時間軸をＸ軸Ｄｘとし物理量を示す軸をＹ軸Ｄｙとした座標に入力信号を表示する例について説明したが、時間軸をＹ軸Ｄｙとし物理量を示す軸をＸ軸Ｄｘとしてもよい。
【００９８】
また、上記実施形態では表示画面を一つの信号表示領域４１ｂのみで構成する例について説明したが、表示画面内に複数の信号表示領域４１ｂを配置してもよい。この場合においても信号表示領域４１ｂごとに本実施形態の基準位置シフト機能を実行することが可能である。
【００９９】
また、上記実施形態では基準位置ＰｂをＹ軸Ｄｙの中心位置としたが、基準位置Ｐｂは、Ｙ軸Ｄｙの任意の位置に設定可能であり、例えば基準位置Ｐｂを上端位置Ｐｕ又は下端位置Ｐｌに設定してもよい。
【０１００】
また、上記実施形態では表示装置１の一つの画面上で設定画面から表示画面に切り替える例について説明したが、操作ボタンにより表示画面上に設定画面がポップアップしたり、表示画面の中に設定画面を表示したりする表示装置にも適用可能である。
【０１０１】
また、上記実施形態は二次元の座標に入力信号を表示する例について説明したが、座標軸上の基準位置Ｐｂに対して入力信号を表示するものであればよく、例えば、三次元の座標に入力信号を表示する表示装置にも適用可能である。
【符号の説明】
【０１０２】
１  表示装置
１０  入力部（取得手段）
２０  記憶部
３０  操作部（設定手段）
４０  表示部（表示手段）
５０  処理部（変更手段、演算手段）
【図１】
2019159007.tif 000003
【図２】
2019159007.tif 000004
【図３】
2019159007.tif 000005
【図４】
2019159007.tif 000006
【図５Ａ】
2019159007.tif 000007
【図５Ｂ】
2019159007.tif 000008
【図６】
2019159007.tif 000009